【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
無線通信システムにおいて、端末（ＵＥ）がランダムアクセスチャンネル(ＲＡＣＨ)を送信する方法であって、
少なくとも１つの同期信号ブロック(ＳＳＢ)の送信に関連する第１情報、及び（ｉ）前記ＲＡＣＨを送信するための複数のＲＡＣＨリソース、（ｉｉ）前記複数のＲＡＣＨリソース内の前記ＲＡＣＨを送信するための時間区間に関連する第２情報を受信するステップと、
前記時間区間内の前記複数のＲＡＣＨリソースのうちの少なくとも１つの第１ＲＡＣＨリソースへの前記少なくとも１つのＳＳＢのマッピングを決定するステップであって、前記マッピングは、前記時間区間内において、正の整数回による前記少なくとも１つの第１ＲＡＣＨリソース上への前記少なくとも１つのＳＳＢの繰り返しマッピングを含む、ステップと、
前記少なくとも１つのＳＳＢにマッピングされた前記少なくとも１つの第１ＲＡＣＨリソースのうち、１つのＲＡＣＨリソースで前記ＲＡＣＨを送信するステップと、を含み、
前記少なくとも１つの第１ＲＡＣＨリソース上への前記少なくとも１つのＳＳＢの前記正の整数回の繰り返しマッピングの後、前記複数のＲＡＣＨリソースは、前記少なくとも１つのＳＳＢにマッピングされないままである少なくとも１つの第２ＲＡＣＨリソースを更に含み、
前記ＲＡＣＨは、前記少なくとも１つのＳＳＢにマッピングされないままである前記少なくとも１つの第２ＲＡＣＨリソースで送信されない、ランダムアクセスチャンネル送信方法。
【請求項２】
ＲＡＣＨリソース当たりにマッピング可能なＳＳＢの数が１より小さい場合、１つのＳＳＢは、ＲＡＣＨリソース当たりにマッピング可能なＳＳＢの数の逆数だけ連続した第１ＲＡＣＨリソースにマッピングされる、請求項１に記載のランダムアクセスチャンネル送信方法。
【請求項３】
無線通信システムにおいて、ランダムアクセスチャンネル(ＲＡＣＨ)を送信するよう構成された端末であって、
トランシーバーと、
少なくとも１つのプロセッサーと、
前記少なくとも１つのプロセッサーと動作可能に接続可能な少なくとも１つのコンピュータメモリと、を含み、
前記少なくとも１つのコンピュータメモリは、実行されるとき、前記少なくとも１つのプロセッサーに、
前記トランシーバーを通じて、少なくとも１つの同期信号ブロック(ＳＳＢ) の送信に関連する第１情報、及び（ｉ）前記ＲＡＣＨを送信するための複数のＲＡＣＨリソース、（ｉｉ）前記複数のＲＡＣＨリソース内の前記ＲＡＣＨを送信するための時間区間に関連する第２情報を受信し、
前記時間区間内の前記複数のＲＡＣＨリソースのうちの少なくとも１つの第１ＲＡＣＨリソースへの前記少なくとも１つのＳＳＢのマッピングを決定し、前記マッピングは、前記時間区間内において、正の整数回による前記少なくとも１つの第１ＲＡＣＨリソース上への前記少なくとも１つのＳＳＢの繰り返しマッピングを含み、
前記トランシーバーを通じて、前記少なくとも１つのＳＳＢにマッピングされた前記少なくとも１つの第１ＲＡＣＨリソースのうち、１つのＲＡＣＨリソースで前記ＲＡＣＨを送信することを含む動作を実行させる命令を格納し、
前記少なくとも１つの第１ＲＡＣＨリソース上への前記少なくとも１つのＳＳＢの前記正の整数回の繰り返しマッピングの後、前記複数のＲＡＣＨリソースは、前記少なくとも１つのＳＳＢにマッピングされないままである少なくとも１つの第２ＲＡＣＨリソースを更に含み、
前記端末により、前記ＲＡＣＨは、前記少なくとも１つのＳＳＢにマッピングされないままである前記少なくとも１つの第２ＲＡＣＨリソースで送信されない、端末。
【請求項４】
ＲＡＣＨリソース当たりにマッピング可能なＳＳＢの数が１より小さい場合、１つのＳＳＢは、ＲＡＣＨリソース当たりにマッピング可能なＳＳＢの数の逆数だけ連続した第１ＲＡＣＨリソースにマッピングされる、請求項３に記載の端末。
【請求項５】
無線通信システムにおいて、基地局がランダムアクセスチャンネル(ＲＡＣＨ)を端末から受信する方法であって、
少なくとも１つの同期信号ブロック(ＳＳＢ) の前記端末の送信に関連する第１情報、及び（ｉ）前記端末が前記ＲＡＣＨを送信するための複数のＲＡＣＨリソース、（ｉｉ）前記端末が前記複数のＲＡＣＨリソース内の前記ＲＡＣＨを送信するための時間区間に関連する第２情報を前記端末に送信するステップと、
前記時間区間内の前記複数のＲＡＣＨリソースのうちの少なくとも１つの第１ＲＡＣＨリソースへの前記少なくとも１つのＳＳＢのマッピングを決定するステップであって、前記マッピングは、前記時間区間内において、正の整数回による前記少なくとも１つの第１ＲＡＣＨリソース上への前記少なくとも１つのＳＳＢの繰り返しマッピングを含む、ステップと、
前記少なくとも１つのＳＳＢにマッピングされた前記少なくとも１つの第１ＲＡＣＨリソースのうち、１つのＲＡＣＨリソースで前記ＲＡＣＨを前記端末から受信するステップと、を含み、
前記少なくとも１つの第１ＲＡＣＨリソース上への前記少なくとも１つのＳＳＢの前記正の整数回の繰り返しマッピングの後、前記複数のＲＡＣＨリソースは、前記少なくとも１つのＳＳＢにマッピングされないままである少なくとも１つの第２ＲＡＣＨリソースを更に含み、
前記端末により、前記ＲＡＣＨは、前記少なくとも１つのＳＳＢにマッピングされないままである前記少なくとも１つの第２ＲＡＣＨリソースで送信されない、ランダムアクセスチャンネル受信方法。
【請求項６】
前記ＲＡＣＨが受信された前記第１ＲＡＣＨリソースに基づいて、前記端末が獲得しようとする同期に対応する前記少なくとも１つのＳＳＢに関する情報を獲得するステップを更に含む、請求項５に記載のランダムアクセスチャンネル受信方法。
【請求項７】
無線通信システムにおいて、ランダムアクセスチャンネル(ＲＡＣＨ)を端末から受信するよう構成された基地局であって、
トランシーバーと、
少なくとも１つのプロセッサーと、
前記少なくとも１つのプロセッサーと動作可能に接続可能な少なくとも１つのコンピュータメモリと、を含み、
前記少なくとも１つのコンピュータメモリは、実行されるとき、前記少なくとも１つのプロセッサーに、
前記トランシーバーを通じて、少なくとも１つの同期信号ブロック(ＳＳＢ) の前記端末の送信に関連する第１情報、及び（ｉ）前記端末が前記ＲＡＣＨを送信するための複数のＲＡＣＨリソース、（ｉｉ）前記端末が前記複数のＲＡＣＨリソース内の前記ＲＡＣＨを送信するための時間区間に関連する第２情報を前記端末に送信し、
前記時間区間内の前記複数のＲＡＣＨリソースのうちの少なくとも１つの第１ＲＡＣＨリソースへの前記少なくとも１つのＳＳＢのマッピングを決定し、前記マッピングは、前記時間区間内において、正の整数回による前記少なくとも１つの第１ＲＡＣＨリソース上への前記少なくとも１つのＳＳＢの繰り返しマッピングを含み、
前記トランシーバーを通じて、前記少なくとも１つのＳＳＢにマッピングされた前記少なくとも１つの第１ＲＡＣＨリソースのうち、１つのＲＡＣＨリソースで前記ＲＡＣＨを前記端末から受信することを含む動作を実行させる命令を格納し、
前記少なくとも１つの第１ＲＡＣＨリソース上への前記少なくとも１つのＳＳＢの前記正の整数回の繰り返しマッピングの後、前記複数のＲＡＣＨリソースは、前記少なくとも１つのＳＳＢにマッピングされないままである少なくとも１つの第２ＲＡＣＨリソースを更に含み、
前記端末により、前記ＲＡＣＨは、前記少なくとも１つのＳＳＢにマッピングされないままである前記少なくとも１つの第２ＲＡＣＨリソースで送信されない、基地局。
【請求項８】
前記時間区間内における前記正の整数回による前記少なくとも１つの第１ＲＡＣＨリソース上への前記少なくとも１つのＳＳＢの前記繰り返しマッピングは、前記時間区間内に前記少なくとも１つの第１ＲＡＣＨリソース上にｋ回マッピングされる前記少なくとも１つのＳＳＢのうちの各ＳＳＢを含み、ｋは前記繰り返しマッピングの前記正の整数回である、請求項１に記載のランダムアクセスチャンネル送信方法。
【請求項９】
前記少なくとも１つのＳＳＢは、前記少なくとも１つの第１ＲＡＣＨリソースのうちのｋ個の異なるグループの第１ＲＡＣＨリソースにマッピングされる、請求項８に記載のランダムアクセスチャンネル送信方法。
【請求項１０】
前記少なくとも１つのＳＳＢのうちの各ＳＳＢが、前記時間区間内に前記少なくとも１つの第１ＲＡＣＨリソース上へｋ回マッピングされた後、前記少なくとも１つの第２ＲＡＣＨリソースは前記少なくとも１つのＳＳＢにマッピングされないままである、請求項８に記載のランダムアクセスチャンネル送信方法。
【請求項１１】
前記時間区間内における前記正の整数回による前記少なくとも１つの第１ＲＡＣＨリソース上への前記少なくとも１つのＳＳＢの前記繰り返しマッピングは、前記時間区間内に前記少なくとも１つの第１ＲＡＣＨリソース上にｋ回マッピングされる前記少なくとも１つのＳＳＢのうちの各ＳＳＢを含み、ｋは前記繰り返しマッピングの前記正の整数回である、請求項３に記載の端末。
【請求項１２】
前記少なくとも１つのＳＳＢは、前記少なくとも１つの第１ＲＡＣＨリソースのうちのｋ個の異なるグループの第１ＲＡＣＨリソースにマッピングされる、請求項１１に記載の端末。
【請求項１３】
前記少なくとも１つのＳＳＢのうちの各ＳＳＢが、前記時間区間内に前記少なくとも１つの第１ＲＡＣＨリソース上へｋ回マッピングされた後、前記少なくとも１つの第２ＲＡＣＨリソースは前記少なくとも１つのＳＳＢにマッピングされないままである、請求項１１に記載の端末。
【請求項１４】
前記時間区間内における前記正の整数回による前記少なくとも１つの第１ＲＡＣＨリソース上への前記少なくとも１つのＳＳＢの前記繰り返しマッピングは、前記時間区間内に前記少なくとも１つの第１ＲＡＣＨリソース上にｋ回マッピングされる前記少なくとも１つのＳＳＢのうちの各ＳＳＢを含み、ｋは前記繰り返しマッピングの前記正の整数回である、請求項５に記載のランダムアクセスチャンネル受信方法。
【請求項１５】
前記少なくとも１つのＳＳＢは、前記少なくとも１つの第１ＲＡＣＨリソースのうちのｋ個の異なるグループの第１ＲＡＣＨリソースにマッピングされる、請求項１４に記載のランダムアクセスチャンネル受信方法。
【請求項１６】
前記少なくとも１つのＳＳＢのうちの各ＳＳＢが、前記時間区間内に前記少なくとも１つの第１ＲＡＣＨリソース上へｋ回マッピングされた後、前記少なくとも１つの第２ＲＡＣＨリソースは前記少なくとも１つのＳＳＢにマッピングされないままである、請求項１４に記載のランダムアクセスチャンネル受信方法。
【請求項１７】
前記時間区間内における前記正の整数回による前記少なくとも１つの第１ＲＡＣＨリソース上への前記少なくとも１つのＳＳＢの前記繰り返しマッピングは、前記時間区間内に前記少なくとも１つの第１ＲＡＣＨリソース上にｋ回マッピングされる前記少なくとも１つのＳＳＢのうちの各ＳＳＢを含み、ｋは前記繰り返しマッピングの前記正の整数回である、請求項７に記載の基地局。
【請求項１８】
前記少なくとも１つのＳＳＢは、前記少なくとも１つの第１ＲＡＣＨリソースのうちのｋ個の異なるグループの第１ＲＡＣＨリソースにマッピングされる、請求項１７に記載の基地局。
【請求項１９】
前記少なくとも１つのＳＳＢのうちの各ＳＳＢが、前記時間区間内に前記少なくとも１つの第１ＲＡＣＨリソース上へｋ回マッピングされた後、前記少なくとも１つの第２ＲＡＣＨリソースは前記少なくとも１つのＳＳＢにマッピングされないままである、請求項１７に記載の基地局。